(57)【要約】【課題】簡易な構成でステンドグラス風の視覚効果を奏するお守りを提供する。【解決手段】透明のフィルム材２５の上に、着色した光透過性の水系合成樹脂塗料等で図柄や模様を描き、そのフィルム材２５を所望の形状の透明プラスチック材からなる本体パネル２１に貼り付ける。こうすることで、装飾性に優れたステンドグラス風のお守りを簡易かつ経済的に製造できる。また、お守り本体を回転自在の金具等からなる支持部５で吊るすことで、あらゆる方向からステンドグラス風の模様を視覚的に楽しむことができる。【選択図】図１
2010252966.tif 000002
【特許請求の範囲】
【請求項１】
表面に図柄や模様が描かれた所定形状のフィルム部材と所定形状の透明樹脂部材とを互いに貼り合せてなるお守りであって、前記図柄や模様に光透過性の着色が施されていることを特徴とするお守り。
【請求項２】
表面に複数個の図柄や模様を所定間隔に連続して描画したフィルム部材と透明樹脂部材とを互いに貼り合せてなる板状部材を、前記描画ごとに所定の外形形状に合せて打ち抜いてなるお守りであって、前記図柄や模様に光透過性の着色を施したことを特徴とするお守り。
【請求項３】
図柄や模様を描画した複数個のフィルム部材を基材シート上に剥離可能に配した転写シートから、被転写部材の所定位置に前記フィルム部材を剥離して貼り付けてなるお守りであって、前記図柄や模様に光透過性の着色を施したことを特徴とするお守り。
【請求項４】
前記フィルム部材の所定領域において前記図柄や模様の描画が回避されており、前記所定領域に当該お守りの加護内容や寺社名等を表す文字が配された片状部材を貼付したことを特徴とする請求項１〜３のいずれかに記載のお守り。
【請求項５】
前記図柄や模様の輪郭部およびその近傍に所定幅の黒色の線を配したことを特徴とする請求項２または３に記載のお守り。
【請求項６】
前記片状部材とともに護符を貼付したことを特徴とする請求項４に記載のお守り。
【請求項７】
さらに、吊下げたときに当該お守りを水平方向に回転自在とする支持部材を備えることを特徴とする請求項１〜６のいずれかに記載のお守り。
【発明の詳細な説明】
【技術分野】
【０００１】
本発明は、複数色に彩色された図柄や模様を配して構成されるお守りに関するものである。
【背景技術】
【０００２】
お守りは、保持者（使用者）自身が身に付けたり、カバンや手提げ袋に取り付けて持ち歩くか、あるいは車両内部や自転車に吊下げる等して、保持者が常に自分自身の身の回りに置くことで、魔除けといった呪術的な目的を達成したり、あるいは願い事を叶える等、神のご加護を受けるとするのが一般的な利用方法である。また、お守りそのものは、例えば、巾着型の織物地製のお守り袋に入れた状態で保持者が身に付けることが一般的である。
【先行技術文献】
【特許文献】
【０００３】
【特許文献１】特許第２７８６３９７号公報
【発明の概要】
【発明が解決しようとする課題】
【０００４】
織物地製のお守り袋に入れられたお守りは、明るい場所ではそのお守りに施された模様や色彩を良好に認識できるものの、吊下げて使用する場合、吊下げられた場所によっては、お守りに当たる太陽光線等の光の加減により、模様や色彩を容易に認識できないことがある。このような場合、その都度、お守りを手にとって確認する必要が生じ、お守り表面に施した模様等の有する装飾としての本来的な機能が損なわれるという問題がある。例えば、交通安全を願うお守りを車輌内部のフロントガラスに吊り下げて使用する際、多くの場合、車内の方が外界よりも暗いため、お守りの保持者である運転者側からは逆光状態でお守りを視認する状況にある。そのため、せっかくのお守りも、その表面の模様等が見えにくいという欠点がある。
【０００５】
また、錦織布等の織布からなる袋に封入されたお守りは有難さに欠けるとして、２枚の熱可塑性の透明または半透明の樹脂板の間に織物片（錦織布）や御神体等を介在させて熱圧着し、それらを一体化させた構成をとるお守りも知られている（例えば、特許文献１参照）。しかし、お守り本体に織物片を介在させているため、お守りそのものが厚くなるだけでなく、織物片の表面に配された模様を含む全体が透明感に欠け、逆光状態での視認性にも問題が生じる。
【０００６】
本発明は、上述した課題に鑑みてなされたもので、その目的とするところは、簡単な構成でステンドグラス風の模様や色彩を表出できるお守りを提供することである。
【課題を解決するための手段】
【０００７】
かかる目的を達成し、上述した課題を解決する一手段として、例えば、以下の構成を備える。すなわち、本発明は、表面に図柄や模様が描かれた所定形状のフィルム部材と所定形状の透明樹脂部材とを互いに貼り合せてなるお守りであって、前記図柄や模様に光透過性の着色が施されていることを特徴とする。
さらに本発明は、表面に複数個の図柄や模様を所定間隔に連続して描画したフィルム部材と透明樹脂部材とを互いに貼り合せてなる板状部材を、前記描画ごとに所定の外形形状に合せて打ち抜いてなるお守りであって、前記図柄や模様に光透過性の着色を施したことを特徴とする。また、本発明は、図柄や模様を描画した複数個のフィルム部材を基材シート上に剥離可能に配した転写シートから、被転写部材の所定位置に前記フィルム部材を剥離して貼り付けてなるお守りであって、前記図柄や模様に光透過性の着色を施したことを特徴とする。
例えば、前記フィルム部材の所定領域において前記図柄や模様の描画が回避されており、前記所定領域に当該お守りの加護内容や寺社名等を表す文字が配された片状部材を貼付したことを特徴とする。例えば、前記図柄や模様の輪郭部およびその近傍に所定幅の黒色の線を配したことを特徴とする。また、例えば、前記片状部材とともに護符を貼付したことを特徴とする。例えば、さらに吊下げたときに当該お守りを水平方向に回転自在とする支持部材を備えることを特徴とする。
【発明の効果】
【０００８】
本発明によれば、装飾性に優れたステンドグラス風のお守りを簡易かつ経済的に製造できとともに、あらゆる方向からステンドグラス風の模様を視覚的に楽しむことができる。
【図面の簡単な説明】
【０００９】
【図１】本発明の実施の形態例に係るお守りの全体構成を示す外観図である。
【図２】本発明の実施の形態例に係るお守りの本体部の詳細構造と製造工程を説明するための図である。
【図３】透明フィルム上に図柄・模様を位置取りし、複数の図柄・模様を一定間隔で印刷したときの様子を示す図である。
【図４】複数の図柄・模様を描画した透明フィルムを、透明アクリル板に貼り付けたときの様子を示す図である。
【図５】本発明の第２の実施形態例に係るお守りに使用する転写シートの一例を示す図である。
【図６】第２の実施形態例に係るお守りの本体部の詳細構造とその製造工程を説明するための図である。
【図７】第２の実施形態例に係るお守りの全体構成を示す外観図である。
【発明を実施するための形態】
【００１０】
以下、添付図面を参照して、本発明に係る実施の形態例を詳細に説明する。
＜第１の実施形態例＞
図１は、本発明の第１の実施形態例に係るお守りの全体構成を示す外観図である。図１に示すように、本実施の形態例に係るお守り１は、透明の合成樹脂（プラスチック）材の上に、着色した水系合成樹脂塗料や樹脂等で描かれた図柄や模様、文様等が配された装飾部３とお守りの内容や寺社名を表示する表示部４とからなる本体部２と、その本体部２の上部に取り付けられ、本体部２を吊り下げるために、例えば水平方向に３６０°回転自在の金具等で構成された支持部５と、支持部５を介してお守り１全体を吊着し固定するための吸盤７とを有する。また、本体部２の下部には、所定色に染め上げた複数本の房糸からなる房９が吊るされている。吸盤７を使用したことで、例えば、自動車のフロントガラスの内面等の平面部位にお守り１を装着・固定できる。
【００１１】
図２は、第１の実施形態例に係るお守りの本体部２の詳細構造と製造工程を説明するための図である。図２において、本体パネル２１は、例えば、あらかじめ所定の形状（ここでは、縦長の楕円形）に加工した、厚さ１〜２ｍｍの透明プラスチック材である。この本体パネル２１の上部には、上述した支持部５を取り付けるための孔を有する上部突起２２が形成され、パネル下部には、房９を吊るすための孔２３が設けられている。そして、本体パネル２１の一方の面に、図柄や模様、文様等が印刷等により描かれたフィルム２５を貼付する。このフィルム２５は、本体パネル２１とほぼ同じ形状で、その中央部２６を除く所定の領域に図柄や模様、文様等が描かれており、透明性のある接着剤や熱溶着等によって本体パネル２１に貼り付ける。
【００１２】
本体パネル２１の材料として、例えば、透明度の高いアクリル樹脂、ポリ塩化ビニール、成形歪みが少ないとされるポリメチルメタクリレート（ＰＭＭＡ）、ポリカーボネート（ＰＣ）樹脂、耐熱性が高く成形歪みの少ない環状ポリオレフィン（ＣＯＰ）等を使用する。また、フィルム２５としては、例えば、ポリエチレンテレフタレート（ＰＥＴ）、ポリスチレン（ＰＳ）、ポリプロピレン（ＰＰ）、透明ＡＢＳ樹脂等からなるシート状のフィルムを使用する。なお、用済みとなったお守りを神社の境内等で焼却処分する場合を考慮し、焼却の際に環境や人体に有害なガス等が発生しないよう、好適には本体パネル２１の材料としてポリオレフィン系樹脂を使用し、フィルム２５にはオレフィン系のフィルムを使用する。
【００１３】
フィルム２５の中央部２６には、例えば、家内安全、交通安全、学業成就、合格祈念、安産成就等、お守りの祈願内容や寺社名が記載された、紙や布等からなる表示片２７が貼付される。ここでは、表示片２７の文字記載面を本体パネル２１側に向けて位置決めし、その背面から粘着性の裏張りテープ２９で表示片２７全体を覆うようにフィルム２５へ貼り付ける。こうすることで、本体パネル２１のフィルム２５を貼付した面とは逆の面側から、これらの記載文字が見え、お守りの保持者等は、そのお守りによるご利益やお守り本体を授与した神社名等を容易に視認できる。
【００１４】
なお、図２では省略しているが、お守りの本来的な機能と、そのご利益に与るため、表示片２７を裏張りテープ２９で貼り付ける際、表示片２７とともに小型の護符を組み込むようにしてもよい。あるいは、本体パネル２１以外の適当な領域に護符を装着するようにしてもよい。護符とは、神仏が加護して種々の厄難から逃れさせるという札であり、紙製や板製等、様々のものがあり、例えば、神璽が押印され、あるいは真言蜜呪や神仏の名が書かれている。
【００１５】
また、本体パネル２１の形状は、上述した楕円形に限定されず、例えば、剣先形状、円形状、三角形状としてもよい。いずれの形状であっても、本体パネル２１等からなるお守りの本体２そのものは、例えば、自動車のフロントガラスの内面に装着された場合、自動車の走行中にお守りが揺れることで運転者の視界を妨げることのない大きさとする。
【００１６】
次に、第１の実施形態例に係るお守りの本体パネルに貼り付けるフィルムに、図柄や模様、文様等を描く方法について説明する。ここでは、パーソナルコンピュータ等の画像生成装置や画像描画装置によって、あらかじめ図柄や模様を作成しておくとともに、上述した本体パネル２１に貼付されるフィルム２５を複数枚取れるだけの面積を有する透明フィルムを用意する。図３は、所定の面積を有する透明フィルム３１上に、フィルム２５の大きさと枚数に合わせて図柄・模様３５を位置取りして、例えばスクリーン印刷法、グラビア印刷法等により印刷したときの様子を示している。なお、図柄・模様３５としては、任意の色彩を使用した模様、例えば、幾何学模様や花模様、これらを適宜、組み合わせた模様等がある。
【００１７】
第１の実施形態例に係るお守りは、ステンドグラス風の模様が表出されていることを特徴とする。そのため、透明フィルム３１に印刷あるいは描画された個々の図柄・模様３５には、光透過性の樹脂や水系合成樹脂塗料等を使用する。また、図柄・模様３５の輪郭部分には、黒色インクを使用した所定の線幅の輪郭線が配されている。こうすることで、様々な色彩が付された図柄・模様３５と黒色の輪郭線とのコントラストにより、それらの図柄・模様３５が周囲から区画されて全体的にステンドグラス風の視覚的効果が出る。このとき、輪郭線を特殊なインク、例えば紫外線硬化インクを用いて厚盛り印刷し、輪郭部分がフィルム面から盛り上がるようにすると同時に、その輪郭線で囲まれた領域に着色した光透過性の樹脂や水系合成樹脂塗料等で図柄・模様３５を描くことで、より効果的なステンドグラス風のフィルムを作製することができる。
【００１８】
図４は、図３に示す図柄・模様３５が印刷等された透明フィルム３１を、それよりやや大きめの透明アクリル板４１に貼り付けたときの様子を示している。透明フィルム３１のアクリル板４１への貼付けには、例えば、透明粘着剤、エマルジョン接着剤、水で希釈した中性洗剤等を使用する。貼付け作業において、透明フィルム３１と透明アクリル板４１間に気泡が生じるのを防止するとともに、余分な粘着剤等を排除するため、例えば、スキージ等を使用して透明フィルム３１の表面全体をその平面方向になぞる等することで、気泡等によりお守りの美観が損なわれるのを回避する。
【００１９】
透明アクリル板４１と透明フィルム３１間の接着剤等を完全に乾燥させた後、それらアクリル板とフィルムとが密着してなる原版パネル４０に対して、図２に示す本体パネル２１の外形形状に合わせた抜き型によるプレス加工を行う。このプレス加工により原版パネル４０からは、それぞれにステンドグラス風の図柄・模様３５が配された本体パネル２１が打ち抜かれる。そして、打ち抜かれた本体パネル２１に、上述した支持部５や房９、吸盤７等を所定の位置に取り付けることでお守りを完成させる。
【００２０】
以上説明したように、本発明の実施形態例によれば、透明フィルム材の上に着色した光透過性の水系合成樹脂塗料等で図柄や模様を描き、そのフィルム材を所定形状の透明プラスチック材に貼り付けた構成とすることで、装飾性に優れたステンドグラス風のお守りを簡易に製造できる。さらには、お守り本体を回転自在の金具等で吊るすことのできる構造にすることで、あらゆる方向からステンドグラス風の模様を視覚的に楽しむことができる。特に、透明樹脂の上に光透過性の塗料等を用いて描画しているため、お守りの裏表いずれの方向からもステンドグラス風の模様を視認することができる。
【００２１】
さらに、光透過性の塗料等で図柄や模様が描かれフィルムを透明プラスチック板に貼り付けるだけでステンドグラス風の視覚的効果が得られるため、従来のステンドグラス製造工程、例えば、所望の形状を有する無色または有色の光透過性プラスチック板を複数個用意し、それらを専用の枠材によって接合するといった複雑な工程が不要となる。その結果、見た目にも変化に富んだお守りを経済的かつ安価に供給できるという効果がある。
【００２２】
なお、上記の例では、図柄や模様が描かれた透明フィルム材を所定形状の透明のプラスチック材に貼り付けてお守り本体を構成したが、これに限定されない。例えば、透明プラスチック材の上に直接、光透過性の塗料等で図柄や模様を描くことによって、ステンドグラス風のお守りを構成してもよい。また、透明フィルム材の形状と、それを貼付する透明プラスチック材の形状とが同一である必要性はなく、お守りの本体パネル部分に図柄等が適度に配置できる限りにおいて、透明フィルム材は透明プラスチック材の表面内に収まる大きさであればよい。
【００２３】
＜第２の実施形態例＞
上述した第１の実施形態例では、プレス加工により、原版パネルからステンドグラス風の図柄・模様が配された本体パネルを打ち抜く方法をとったが、第２の実施形態例では、転写シートを使用して本体パネルにフィルムを貼付する。図５は、本発明の第２の実施形態例に係るお守りに使用する転写シートの一例を示している。図５に示す転写シート５０は、例えば、ポリエステルフィルム等の熱可塑性樹脂フィルムからなる基材シート５１の上に、印刷等により図柄や模様、文様等を描いた複数個の転写フィルム５３ａ〜５３ｆを配してなる。各々の転写フィルム５３ａ〜５３ｆは、後述するパネル部とほぼ同じ形状を有しており、それぞれが基材シート５１から剥離可能に設けられている。また、転写フィルム５３ａ〜５３ｆの一方の面全体には、透明性のある粘着剤が貼付されており、基材シート５１から剥離された転写フィルム５３ａ〜５３ｆを容易にパネル部に転写、接着できるようになっている。
【００２４】
転写の際、転写シート５０上の転写フィルム５３ａ〜５３ｆの転写面（粘着剤が貼付されている面）を被転写基材であるパネル部６１ａ〜６１ｆに位置合わせして圧着し、転写フィルム５３ａ〜５３ｆそれぞれをパネル部６１ａ〜６１ｆに接着させる。パネル部６１ａ〜６１ｆは、例えば、縦長の楕円形を有する、厚さ１〜２ｍｍの透明プラスチック材からなる。その後、転写フィルム５３ａ〜５３ｆを基材シート５１との界面で剥離しながら基材シート５１を除去することで、個々のパネル部６１ａ〜６１ｆに転写フィルム５３ａ〜５３ｆが転写される。なお、パネル部への転写フィルムの転写は、それぞれのパネル部ごとに個別に行ってもよいし、あるいは、基材シート５１上の転写フィルム５３ａ〜５３ｆの配置に合わせて位置決めした複数個のパネル部６１ａ〜６１ｆに対して一時に全数を転写してもよい。
【００２５】
図６は、第２の実施形態例に係るお守りの本体部の詳細構造とその製造工程を説明するための図である。本実施の形態例に係るお守りの本体部６０（お守りの支持部や房等以外の部分）は、上述した透明プラスチック材からなるパネル部に転写フィルムを貼り付けてなる装飾パネル６３と、この装飾パネル６３の外周縁部を嵌め込み可能であって、装飾パネル６３を保持・固定するための一組の枠部材６５，６７とを備える。これらの枠部材のうち枠部材６７には、パネル部６１の外形に合わせた形状・寸法を有し、パネル部６１の厚さとほぼ同じ深さ（例えば、１〜２ｍｍ）の段差部６７ａが設けられている。
【００２６】
そこで、装飾パネル６３の外周縁部を段差部６７ａに載置した状態で、枠部材６７と同じ外形寸法を有する枠部材６５を枠部材６７に重ね合わせる。その結果、図柄や模様、文様等が描かれた装飾パネル６３は、枠部材６５，６７の間に挟み込まれた状態で、その外周縁部が固定される。枠部材６７の上部には、上述した第１の実施形態例に係るお守りと同様の支持部を取り付けるため、所定径の孔を有する上部突起７２が設けられ、枠部材６７の下部には、房を吊るすための孔を有する下部突起７３が設けられている。また、装飾パネル６３の両面のほぼ中央部の裏表には、紙や布等からなる表示片６８，６９がそれぞれ貼付される。なお、これらの表示片６８，６９の貼付は、装飾パネル６３を枠部材６５，６７の間に挟み込む前、あるいは挟み込んだ後のいずれの段階で行ってもよい。
【００２７】
図７は、第２の実施形態例に係るお守りの全体構成を示す外観図である。第２の実施形態例に係るお守り７１は、図１に示す第１の実施形態例に係るお守りと同様、その本体部６０を吊り下げるため、水平方向に３６０°回転自在の金具等からなる支持部７５を有し、お守り７１全体が吸盤７７により吊着、固定される。また、本体部６０の下部には、所定色に染め上げた複数本の房糸からなる房７９が配されている。
【００２８】
このように、第２の実施形態例に係るお守りは、転写シート上に、ステンドグラス風の模様を表出した転写フィルムを配し、その転写フィルムを所定形状の装飾パネルに転写し、貼り付けた後、その装飾パネルを枠部材で挟み込んで本体部を構成することで、簡単な構成部品でお守り全体を堅牢な構造にできるとともに、転写シートを使用したことにより作業性が向上し、装飾性に優れたステンドグラス風のお守りを簡易に製造できる。
【符号の説明】
【００２９】
１    お守り
２，６０    本体部
３    装飾部
４    表示部
５，７５    支持部
７，７７    吸盤
９，７９    房
２１    本体パネル
２２    上部突起
２３    孔
２５    フィルム
２６    中央部
２７    表示片
２９    裏張りテープ
３１    透明フィルム
３５    図柄・模様
４１    透明アクリル板
５０    転写シート
５１    基材シート
５３ａ〜５３ｆ    転写フィルム
６０    本体部
６１ａ〜６１ｆ    パネル部
６３    装飾パネル
６５，６７    枠部材
６７ａ    段差部
７２    上部突起
７３    下部突起
【図１】
2010252966.tif 000003
【図２】
2010252966.tif 000004
【図３】
2010252966.tif 000005
【図４】
2010252966.tif 000006
【図５】
2010252966.tif 000007
【図６】
2010252966.tif 000008
【図７】
2010252966.tif 000009